(57)【要約】【課題】作業性と安全性を兼ね備えたフィルタ組合せ体及びフィルタの交換方法を提供する。【解決手段】フィルタ交換時に、フィルタ取りつけフレームにフィルタが取りつけられている状態で、可撓性袋部材でフィルタを覆いフレームの外周部に該袋部材の開放端部を仮付着し、次いでフィルタを取りはずし、次いで該袋部材をフレーム外周部から取りはずす方法とそれに用いるに適するフィルタ組合せ体。【選択図】なし【特許請求の範囲】
【請求項１】
壁面に取りつけたフィルタ取りつけフレームと該フレームに着脱可能に取りつける箱型フィルタをもつフィルタ組合せ体において、フィルタ交換時に、フィルタ取りつけフレームにフィルタが取りつけられている状態で、可撓性袋部材でフィルタを覆い、フレームの外周部に該袋部材の開放端部を仮付着し、次いでフィルタを取りはずし、次いで該袋部材をフレーム外周部から取りはずすことを特徴とするフィルタの交換方法。
【請求項２】
可撓性袋部材がフィルタの長さの３倍以上の長さをもつ請求項１記載の方法。
【請求項３】
フィルタ取りつけフレームと該フレームに着脱可能に取りつける箱型フィルタをもつフィルタ組合せ体において、フレームには複数の返し形状の止め板が取りつけられており、フィルタの外周部には該止め板を係合する溝が設けられていることを特徴とするフィルタ組合せ体。
【請求項４】
さらにフィルタを覆うバックアウトケースを有する請求項３記載のフィルタ組合せ体。
【請求項５】
さらにバックアウトケースを覆う可撓性袋部材を有する請求項４記載のフィルタ組合せ体。
【発明の詳細な説明】
【技術分野】
【０００１】
本発明はフィルタの交換方法及びフィルタ組合せ体に関し、特に原子力発電所等の大型施設での汚染空気の浄化に用いられる垂直面に複数配置したフィルタの交換作業の効率化及び安全化技術に関する。
【背景技術】
【０００２】
火力発電所、原子力発電所、さらには各種クリーンルーム等では、外気を取り入れる際又は使用済の汚染空気を外部に放出する際に空気を浄化するためにフィルタ（エアフィルタ）が用いられている。これらのフィルタは通常複数の箱型フィルタが垂直面に複数列、複数段に並べて設置される。たとえば、垂直壁面にそれぞれをフィルタの寸法に合わせたフィルタ取りつけフレームを格子状に取りつけてそこに箱型フィルタをはめ込んで固定する方式が広く知られている。
【０００３】
これらのフィルタは、一定期間の使用によって目詰りを起こすので、定期的に交換する必要がある。この場合、フィルタの数が多いので、各フィルタの着脱を容易にしなければ作業性が悪い。このため、従来から種々の工夫がなされているが、それらの工夫のほとんどは、フレームへのフィルタの取りつけ方式の工夫といえる（特許文献１、特許文献２、特許文献３、特許文献４）。これらはそれ以前の方式より作業性が改善されるものだが、ワンタッチでの固定や取りはずしには不向きであり、前記の作業に手間がかかるものである。
【０００４】
またフィルタの交換時（即ち取りはずし時）には、フィルタに堆積した汚染物質の飛散への配慮が望まれるが、従来方式はこの点への配慮を欠くものが多い。従来からフィルタに堆積した汚染物質をフィルタと共にプラスチック製袋部材に入れて処分することは行われていたが、フィルタを取りはずした後でそれを袋部材に入れることから、作業に手間がかかると共に汚染物質の飛散を防ぎ得ないものであった。特に汚染物質中に放射性物質や発がん性物質等の有害物質が含まれている場合には、作業性と安全性の確保が極めて重要となる。
【０００５】
【特許文献１】特開平７−５１５２３号公報
【特許文献２】特開平８−１９６８４２号公報
【特許文献３】特開平９−２２５２３３号公報
【特許文献４】（特開２００１−２７６５４２号公報）
【発明の開示】
【発明が解決しようとする課題】
【０００６】
本発明の目的は、上記した従来技術の問題点を解決することにあり、特に作業性と安全性を兼ね備えたフィルタ組合せ体及びフィルタの交換方法を提供することにある。
【課題を解決するための手段】
【０００７】
本発明は、第１に、壁面に取りつけたフィルタ取りつけフレームと該フレームに着脱可能に取りつける箱型フィルタをもつフィルタ組合せ体において、フィルタ交換時に、フィルタ取りつけフレームにフィルタが取りつけられている状態で、可撓性袋部材でフィルタを覆い、フレームの外周部に該袋部材の開放端部を仮付着し、次いでフィルタを取りはずし、次いで該袋部材をフレーム外周部から取りはずすことを特徴とするフィルタの交換方法である。
【０００８】
本発明は、第２に、可撓性袋部材がフィルタの長さの３倍以上の長さをもつ上記の方法である。
【０００９】
本発明は、第３に、フィルタ取りつけフレームと該フレームに着脱可能に取りつける箱型フィルタをもつフィルタ組合せ体において、フレームには複数の返し形状の止め板が取りつけられており、フィルタの外周部には該止め板を係合する溝が設けられていることを特徴とするフィルタ組合せ体である。
【００１０】
本発明は、第４に、さらにフィルタを覆うバックアウトケースを有する上記のフィルタ組合せ体である。
【００１１】
本発明は、第５に、さらにバックアウトケースを覆う可撓性袋部材を有する上記のフィルタ組合せ体である。
【発明の効果】
【００１２】
本発明により、フィルタの交換作業を作業性よく安全に行うことが可能となる。
【発明を実施するための最良の形態】
【００１３】
本発明の好ましい態様を図面に基いて説明する。
本発明におけるフィルタ組合せ体は、従来技術におけると同様、通常、フィルタに導入される空気とフィルタで浄化された空気とを区分する壁面に取りつけた複数のフィルタ取りつけフレームとこのフレームに着脱可能に取りつける複数の箱型フィルタをもっている。
【００１４】
図１はフィルタとフレームを示す斜視図であり、
図２は、バックアウトケースと可撓性袋部材を示す斜視図であり、
図３は、図１と２を組合せた部分説明図であり、図４は、フィルタの交換作業手順を示す説明図である。
【００１５】
フィルタ１には、フレーム２に押し入れることで、ワンタッチで固定できるように、その外周壁端に溝５が掘られている。この溝５はたとえば深さ５ｍｍ、幅１０ｍｍ程度である。
【００１６】
フィルタ取りつけフレーム２には、止め板３が取りつけられている。この止め板３は、たとえばフレーム２の内壁の一辺に対して２個、合計８個取りつけられる。この取りつけは溶接等によって行われる。止め板３の形状はフィルタ１を押し入れたときに溝５と係合して固定するように、返し形状をもつバネ材からなることが好ましい。
【００１７】
止め板３は、フレーム２の外側にある角度をもって反っており、フィルタ１と止め板３の先端部はある一定の間隔６（たとえば５ｍｍ程度）をもって離れていることが好ましい。このような構造にすることによって、ワンタッチでフィルタ１をフレーム２に係合できると共に、交換時にバックアウトケース４を挿入することでその先端が止め板３を浮き上がらせてフィルタ１を解除することが可能となる。
【００１８】
尚、止め板３を上記のようにバネ材で構成する場合、フィルタ１の自重で膨らむことから、フレーム２にフィルタ１を支えるためのリブ８を設けることが好ましい。リブ８はフィルタ１を支える機能と共に気密保持の機能ももっている。
【００１９】
バックアウトケース４はフィルタの交換（取りはずし）時に用いられるものであり、フィルタ１を覆うような大きさであればよく、その典型例が図２に示す箱型（左）と筒型（右）である。バックアウトケース４をフィルタ１で覆うようにして、その先端部を止め板３とフィルタ１の溝５の係合部の間隔６に挿入することで、フィルタが解除される。バックアウトケース４は上記機能を示す安価な材質、たとえばプラスチックによってつくられる。
【００２０】
このバックアウトケース４を用いる際には予めこれを可撓性袋部材７で覆っておくことが好ましい。可撓性袋部材７はポリエチレンフィルム等の熱可塑性フィルムでつくることができる。この袋部材は十分な長さをもっており、バックアウトケース４を挿入する際にその開放端部をフレーム２の外周部（フレーム自体の外周端又はその周辺の壁面）に仮付着する。この仮付着は接着テープ等を用いて適宜行いうる（図４の（５））。そしてフィルタ１をバックアウトケース４と共に取りはずした後、袋部材の中間部分を密封する。この密封は予め設けたファスナ（図示せず）を用いたり、熱溶着したり、接着剤等を用いることによって容易に行うことができる。袋部材はこの作業を行うに十分な長さをもつ必要があり、その意味でフィルタ１の長さの３倍以上の長さをもつことが好ましい。次いでこの袋部材中に密封した状態のフィルタ１（及びバックアウトケース）を廃棄処分等の処理工程に回す。そして新たなフィルタ１を取りつける。
【００２１】
本発明のフィルタの取りつけ方法は上記の態様が好ましい態様であるが、フィルタ１がフレーム２に取りつけられている状態で袋部材の開放端部をフレーム外周部に仮付着できる限り、上記の態様以外の適宜の態様を用いうる。即ち袋部材を仮付着した状態でフィルタ１をフレーム２から取りはずしできる機構をもつものであれば、バックアウトケースは存在させなくともよく、このような態様も本発明のフィルタの交換方法に包含される。
【図面の簡単な説明】
【００２２】
【図１】フィルタとフレームを示す斜視図。
【図２】バックアウトケースと可撓性袋部材を示す斜視図。
【図３】図１と２を組合せた部材説明図。
【図４】フィルタの交換作業手順。
【符号の説明】
【００２３】
１  フィルタ
２  フィルタ取りつけフレーム
３  止め板
４  バックアウトケース
５  溝
６  距離
７  袋部材
８  リブ
【図１】
2006075689.tif 000002
【図２】
2006075689.tif 000003
【図３】
2006075689.tif 000004
【図４】
2006075689.tif 000005